(57)【特許請求の範囲】
【請求項１】
全ブランチについて各搬送波により伝送された信号の受信レベルを検出する検出手段と、受信レベルが前記全ブランチにおいて最大である搬送波の総数を各ブランチ毎に算出する算出手段と、算出した搬送波の総数に基づいて、各搬送波を送信するための送信ブランチを選択する選択手段と、を具備することを特徴とするＯＦＤＭ通信装置。
【請求項２】
前記選択手段は、前記全ブランチのうち前記総数が第１しきい値を上回る特定ブランチが存在する場合には、受信レベルが前記全ブランチのうち前記特定ブランチにおいて最大である最大搬送波の送信ブランチとして、前記最大搬送波についての前記特定ブランチとの受信レベルの差が第２しきい値を下回るブランチのうちのいずれかを選択し、前記最大搬送波以外の搬送波の送信ブランチとして、受信レベルが最大であるブランチを選択することを特徴とする請求項１に記載のＯＦＤＭ通信装置。
【請求項３】
前記決定手段は、前記最大搬送波の送信ブランチとして、前記最大搬送波についての前記特定ブランチとの受信レベルの差が最小であるブランチを選択することを特徴とする請求項２に記載のＯＦＤＭ通信装置。
【請求項４】
前記決定手段は、前記全ブランチのうち前記総数が第１しきい値を上回る特定ブランチが存在しない場合には、各搬送波の送信ブランチとして、前記各搬送波の受信レベルが最大であるブランチを選択するとすることを特徴とする請求項１から請求項３に記載のＯＦＤＭ通信装置。
【請求項５】
請求項１から請求項４のいずれかに記載のＯＦＤＭ通信装置を備えたことを特徴とする基地局装置。
【請求項６】
請求項５に記載の基地局装置と無線通信を行うことを特徴とする通信端末装置。
【請求項７】
全ブランチについて各搬送波により伝送された信号の受信レベルを検出する検出工程と、受信レベルが前記全ブランチにおいて最大である搬送波の総数を各ブランチ毎に算出する算出工程と、算出した搬送波の総数に基づいて、各搬送波を送信するための送信ブランチを選択する選択工程と、を具備することを特徴とするＯＦＤＭ通信方法。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の通信装置に関し、特に、送信ダイバーシチを行うＯＦＤＭ方式の通信装置に関する。
【０００２】
【従来の技術】
アクセス方式としてＴＤＤ方式が用いられたＯＦＤＭ方式の通信システムにおいては、基地局装置が送信ダイバーシチを行うことにより、移動局装置は、ハード規模を増大させることなく、復調信号における誤り率特性を改善することができる。以下、この基地局装置に搭載される、送信ダイバーシチを行うＯＦＤＭ通信装置について、図３を参照して説明する。図３は、従来の送信ダイバーシチを行うＯＦＤＭ通信装置の構成を示すブロック図である。
【０００３】
移動局装置が送信した信号は、図３に示すＯＦＤＭ通信装置を備えた基地局装置により、アンテナ３１およびアンテナ３２を介して受信される。受信系において、アンテナ３１からの受信信号（ブランチ１の受信信号）およびアンテナ３２からの受信信号（ブランチ２の受信信号）は、それぞれＦＦＴ部３３およびＦＦＴ部３４に送られる。
【０００４】
ＦＦＴ部３３では、ブランチ１の受信信号に対してＦＦＴ（フーリエ変換）処理がなされることにより、各サブキャリアにより伝送された信号が取り出される。ＦＦＴ部３３により取り出された信号は、レベル検出部３７およびセレクタ３５に送られる。
【０００５】
ＦＦＴ部３４では、ブランチ２の受信信号に対して同様にＦＦＴ処理がなされることにより、各サブキャリアにより伝送された信号が取り出される。ＦＦＴ部３４により取り出された信号は、レベル検出部３８およびセレクタ３５に送られる。
【０００６】
レベル検出部３７およびレベル検出部３８では、それぞれブランチ１およびブランチ２について、各サブキャリアにより伝送された信号の受信レベルが検出される。
【０００７】
大小比較部３９では、レベル検出部３７およびレベル検出部３９のそれぞれによる検出結果を用いて、各サブキャリア毎に、そのサブキャリアにより伝送された信号の受信レベルが大きい方のブランチが選択される。この選択による結果は、セレクタ３５およびセレクタ４１に送られる。
【０００８】
セレクタ３５では、復調部３６に出力すべき信号として、大小比較部３９による選択結果に基づいて、各サブキャリア毎にブランチ１またはブランチ２のいずれかの信号が選択される。さらに、選択された信号は、復調部３６に出力される。復調部３６では、セレクタ３５からの各サブキャリアにより伝送された信号は、所定の復調処理がなされる。これにより、受信信号が得られる。
【０００９】
一方、送信系において、送信信号は、変調部４０により所定の変調処理がなされた後、セレクタ４１に送られる。セレクタ４１では、大小比較部３９による選択結果に基づいて、各ブランチ毎に送信すべきサブキャリアが選択される。すなわち、受信系におけるセレクタ３５により各ブランチ毎に選択されたサブキャリアが、各ブランチ毎に送信すべきサブキャリアとして選択される。例えば、ブランチ１およびブランチ２についての送信すべきサブキャリアは、それぞれ図４（ａ）および図４（ｂ）のように選択される。
【００１０】
この後、セレクタ４１によりブランチ１におけるＩＦＦＴ部４２に対しては、変調部４０からの変調処理後の送信信号のうち、ブランチ１について選択されたサブキャリアに配置される信号のみが出力される。また、セレクタ４１によりブランチ２におけるＩＦＦＴ部４３に対しては、変調部４０からの変調処理後の送信信号のうち、ブランチ２について選択されたサブキャリアに配置される信号のみが出力される。
【００１１】
ＩＦＦＴ部４２およびＩＦＦＴ部４３では、セレクタ４１から送られた変調後の送信信号に対してＩＦＦＴ（逆フーリエ変換）処理がなされる。ＩＦＦＴ部４２およびＩＦＦＴ部４３によりＩＦＦＴ処理がなされた信号は、それぞれ、アンテナ３１およびアンテナ３２を介して、移動局装置に送信される。
【００１２】
移動局装置の受信信号におけるサブキャリアとしては、図５に示すように、基地局装置により各ブランチ毎に選択されたサブキャリアが、多重されたものとなっている。
【００１３】
このように、基地局装置は、送信ダイバーシチを適用することにより、シングルブランチを適用した場合に比べて、各ブランチから送信される信号のピーク電力を低減させることができる。さらに、基地局装置は、各ブランチから送信するサブキャリアを、各ブランチにおける各サブキャリアにより伝送された信号の受信レベルに基づいて選択するので、通信相手すなわち移動局装置は、ハード規模を増大させることなく、復調信号の誤り率特性を改善することができる。
【００１４】
【発明が解決しようとする課題】
しかしながら、従来の送信ダイバーシチを行うＯＦＤＭ通信装置においては、以下に述べるような問題がある。すなわち、従来の送信ダイバーシチを行うＯＦＤＭ通信装置においては、送信すべきサブキャリアが、用意された全ブランチのうち特定のブランチに対して集中的に選択されることがある。ここで、この様子について、図６（ａ）および図６（ｂ）を参照して説明する。
【００１５】
図６（ａ）は、従来の送信ダイバーシチを行うＯＦＤＭ通信装置におけるブランチ１に対して選択されたサブキャリアの配置の様子を示す模式図であり、図６（ｂ）は、従来の送信ダイバーシチを行うＯＦＤＭ通信装置におけるブランチ２に対して選択されたサブキャリアの配置の様子を示す模式図である。
【００１６】
図６（ａ）および図６（ｂ）から明らかなように、送信すべきサブキャリアが、用意された全ブランチ（ここでは２つ）のうちブランチ１に対して集中的に選択されている。すなわち、送信すべきサブキャリアが、特定のブランチに偏った状態で選択されている。
【００１７】
このため、送信すべきサブキャリアが集中的に選択されたブランチにおいては、送信すべきサブキャリアの総数が増加するため、ピーク電力が増大することになる。この結果、送信ダイバーシチを適用したにもかかわらず、各ブランチから送信される信号のピーク電力を低減させるという効果が、得られなくなる可能性がある。
【００１８】
本発明は、かかる点に鑑みてなされたものであり、通信相手の復調信号における誤り率特性を劣化させることなく、各ブランチにおけるピーク電力を低減するＯＦＤＭ通信装置を提供することを目的とする。
【００１９】
【課題を解決するための手段】
本発明のＯＦＤＭ通信装置は、全ブランチについて各搬送波により伝送された信号の受信レベルを検出する検出手段と、受信レベルが前記全ブランチにおいて最大である搬送波の総数を各ブランチ毎に算出する算出手段と、算出した搬送波の総数に基づいて、各搬送波を送信するための送信ブランチを選択する選択手段と、を具備することを特徴とする。
【００２０】
本発明によれば、各ブランチについて受信レベルが全ブランチの中で最大となる搬送波の総数を検出し、前記総数に基づいて、各搬送波を送信するためのブランチを決定するので、送信すべき搬送波がある特定のブランチに集中的に選択される事態を防止することができる。
【００２１】
本発明のＯＦＤＭ通信装置は、前記選択手段は、前記全ブランチのうち前記総数が第１しきい値を上回る特定ブランチが存在する場合には、受信レベルが前記全ブランチのうち前記特定ブランチにおいて最大である最大搬送波の送信ブランチとして、前記最大搬送波についての前記特定ブランチとの受信レベルの差が第２しきい値を下回るブランチのうちのいずれかを選択し、前記最大搬送波以外の搬送波の送信ブランチとして、受信レベルが最大であるブランチを選択することを特徴とする。
【００２２】
本発明によれば、受信レベルが全ブランチの中で最大となる搬送波が特定のブランチに集中的に存在した場合においても、上記搬送波のうち、受信レベルについての上記特定のブランチとの差が第２しきい値を下回るブランチが存在する搬送波については、上記存在するブランチのいずれかから送信するので、通信相手の復調信号における誤り率特性を劣化させることなく、各ブランチにおけるピーク電力を低減させることができる。
【００２３】
本発明のＯＦＤＭ通信装置は、前記決定手段は、前記最大搬送波の送信ブランチとして、前記最大搬送波についての前記特定ブランチとの受信レベルの差が最小であるブランチを選択することを特徴とする。
【００２４】
本発明によれば、受信レベルが全ブランチの中で最大となる搬送波が特定のブランチに集中的に存在した場合においても、上記搬送波のうち、受信レベルについての上記特定のブランチとの差が第２しきい値を下回るブランチが存在する搬送波については、上記存在するブランチのうち上記差が最小であるブランチから送信するので、通信相手の復調信号における誤り率特性の劣化をさらに抑えつつ、各ブランチにおけるピーク電力を低減させることができる。
【００２５】
本発明のＯＦＤＭ通信装置は、前記決定手段は、前記全ブランチのうち前記総数が第１しきい値を上回る特定ブランチが存在しない場合には、各搬送波の送信ブランチとして、前記各搬送波の受信レベルが最大であるブランチを選択するとすることを特徴とする。
【００２６】
本発明によれば、受信レベルが全ブランチの中で最大となる搬送波が特定のブランチに集中的に存在しない場合においては、各搬送波により伝送された信号の受信レベルの大きさのみに基づいて、前記各搬送波を送信するための送信ブランチを決定するので、通信相手の復調信号における誤り率特性の劣化をさらに抑えることができる。
【００２７】
本発明の基地局装置は、上記いずれかのＯＦＤＭ通信装置を備えたことを特徴とする。
【００２８】
本発明によれば、通信相手の復調信号における誤り率特性を劣化させることなく、各ブランチにおけるピーク電力を低減するＯＦＤＭ通信装置を搭載するので、通信相手のハード規模を増大させずに、良好な通信を行うことができる。
【００２９】
本発明の通信端末装置は、上記基地局装置と無線通信を行うことを特徴とする。
【００３０】
本発明によれば、通信相手の復調信号における誤り率特性を劣化させることなく、各ブランチにおけるピーク電力を低減するＯＦＤＭ通信装置を搭載した基地局装置と無線通信を行うので、ハード規模を増大させることなく、復調信号の誤り率特性の劣化を抑えることができる。
【００３１】
本発明のＯＦＤＭ通信方法は、全ブランチについて各搬送波により伝送された信号の受信レベルを検出する検出工程と、受信レベルが前記全ブランチにおいて最大である搬送波の総数を各ブランチ毎に算出する算出工程と、算出した搬送波の総数に基づいて、各搬送波を送信するための送信ブランチを選択する選択工程と、を具備することを特徴とする。
【００３２】
本発明によれば、各ブランチについて受信レベルが全ブランチの中で最大となる搬送波の総数を検出し、前記総数に基づいて、各搬送波を送信するためのブランチを決定するので、送信すべき搬送波がある特定のブランチに集中的に選択される事態を防止することができる。
【００３３】
【発明の実施の形態】
本発明の骨子は、各ブランチについて受信レベルが全ブランチの中で最大となる搬送波の総数を検出し、前記総数に基づいて、各搬送波を送信するためのブランチを決定するようにしたことである。
【００３４】
以下、本発明の実施の形態について、図面を参照して詳細に説明する。
【００３５】
（実施の形態１）
図１は、本発明の実施の形態１にかかるＯＦＤＭ通信装置の構成を示すブロック図である。ここでは、図１に示すＯＦＤＭ通信装置が基地局装置に搭載された場合について説明する。本実施の形態にかかるＯＦＤＭ通信装置を備えた基地局装置は、アクセス方式としてＴＤＤ方式を用いて、各通信相手（移動局装置）と無線通信を行うものである。
【００３６】
移動局装置が送信した信号は、図１に示すＯＦＤＭ通信装置を備えた基地局装置により、アンテナ１０１およびアンテナ１０２を介して受信される。受信系において、アンテナ１０１からの受信信号（ブランチ１の受信信号）およびアンテナ１０２からの受信信号（ブランチ２の受信信号）は、それぞれＦＦＴ部１０３およびＦＦＴ部１０４に送られる。
【００３７】
ＦＦＴ部１０３では、ブランチ１の受信信号に対してＦＦＴ処理がなされることにより、各サブキャリアにより伝送された信号が取り出される。ＦＦＴ部１０３により取り出された信号は、レベル検出器１０７およびセレクタ１０５に送られる。
【００３８】
ＦＦＴ部１０４では、ブランチ２の受信信号に対してＦＦＴ処理がなされることにより、各サブキャリア（各搬送波）により伝送された信号が取り出される。ＦＦＴ部１０４により取り出された信号は、レベル検出部１０８およびセレクタ１０５に送られる。
【００３９】
レベル検出部１０７およびレベル検出部１０８では、それぞれブランチ１およびブランチ２について、各サブキャリアにより伝送された信号の受信レベルが検出される。
【００４０】
大小比較部１０９では、レベル検出部１０７およびレベル検出部１０８のそれぞれによる検出結果を用いて、各サブキャリア毎に、そのサブキャリアにより伝送された信号の受信レベルが大きい方のブランチが選択される。この選択による結果は、「選択ブランチ指示信号」として、カウンタ１１３、極性反転部１１１およびセレクタ１０５に送られる。
【００４１】
この「選択ブランチ指示信号」は、例えば、ブランチ１の信号の受信レベルが大きい場合には「１」を、逆に、ブランチ２の信号の受信レベルが大きい場合には「０」を、それぞれ各サブキャリアについて指示する信号である。
【００４２】
さらに、大小比較部１０９では、レベル検出部１０７およびレベル検出部１０８のそれぞれによる検出結果を用いて、各サブキャリア毎に、ブランチ１とブランチ２との間における、そのサブキャリアにより伝送された信号の受信レベルの差の絶対値が算出される。この算出結果は、各サブキャリアについての上記絶対値を示す「絶対値指示信号」として、大小比較部１１０に送られる。
【００４３】
セレクタ１０５では、復調部１０６に出力すべき信号として、大小比較部１０９からの「選択ブランチ指示信号」に基づいて、各サブキャリア毎にブランチ１またはブランチ２のいずれかの信号が選択される。さらに、選択された信号は、復調部１０６に出力される。復調部１０６では、セレクタ１０５からの各サブキャリアにより伝送された信号は、所定の復調処理がなされる。これにより、受信信号が得られる。
【００４４】
一方、カウンタ１１３では、大小比較部１０９からの「選択ブランチ指示信号」を用いて、各ブランチ毎に、選択された送信サブキャリアの数がカウントされる。すなわち、「選択ブランチ指示信号」における「１」の数がカウントされることにより、ブランチ１に対して選択された送信サブキャリアの総数が認識される。逆に、「選択ブランチ指示信号」における「０」の数がカウントされることにより、ブランチ２に対して選択された送信サブキャリアの総数が認識される。
【００４５】
カウンタ１１３による認識結果は、各ブランチについての送信サブキャリアの総数を示す「サブキャリア数指示信号」として、大小比較部１１４に送られる。大小比較部１１４では、各ブランチについて、カウンタ１１３からの「サブキャリア数指示信号」と第１しきい値との比較がなされる。このときの比較結果は、各ブランチについての「選択信号」としてセレクタ１１２に送られる。なお、第１しきい値は、回線品質等の様々な条件に応じて、適応的に変化させることができるものである。
【００４６】
「選択信号」は、各ブランチ毎に、例えば、「サブキャリア数指示信号」が第１しきい値を上回った場合には「１」とされ、これ以外の場合には「０」とされる。
【００４７】
次いで、大小比較部１１０では、各サブキャリアについて、大小比較部１０９からの「絶対値指示信号」と第２しきい値との比較がなされる。この比較結果は、各サブキャリアについての上記比較結果を示す「比較結果指示信号」として、極性反転部１１１に送られる。この「比較結果指示信号」は、例えば、「絶対値指示信号」が第２しきい値を下回った場合には「１」とされ、「絶対値指示信号」が第２しきい値以上である場合には「０」とされる。なお、第２しきい値は、回線品質等の様々な条件に応じて、適応的に変化させることができるものである。
【００４８】
極性反転部１１１では、大小比較部１１０からの「比較結果指示信号」および大小比較部１１４からの「選択信号」に応じて、大小比較部１０９からの「選択ブランチ指示信号」の極性が反転または非反転される。
【００４９】
具体的には、以下の条件を満たすサブキャリアについての「選択ブランチ指示信号」が、極性反転の対象となる。すなわち、「選択ブランチ指示信号」の内容が「選択信号」により「１」とされたブランチに対応するものに該当するサブキャリアのうち、そのサブキャリアに対応する「比較結果指示信号」の内容が「１」とされたサブキャリアである。
【００５０】
換言すれば、「選択ブランチ指示信号」において、その内容が、送信サブキャリア数が第１しきい値を上回るブランチであり、かつ、各ブランチ間の受信レベルの差の絶対値が第２しきい値を下回るサブキャリアのみが、極性反転の対象とされる。
【００５１】
セレクタ１１２では、送信系におけるセレクタ１１６に出力すべき信号として、大小比較部１１４からの「選択信号」に基づいて、大小比較部１０９からの「選択ブランチ指示信号」、もしくは、極性反転部１１１からの極性が反転または非反転された「選択ブランチ指示信号」のいずれかが選択される。セレクタ１１２により選択された信号は、送信系におけるセレクタ１１６に出力される。
【００５２】
次いで、送信系において、送信信号は、変調部１１５により所定の変調処理がなされた後、セレクタ１１６に送られる。セレクタ１１６では、セレクタ１１２からの「選択ブランチ指示信号」、もしくは、極性が反転または非反転された「選択ブランチ指示信号」に基づいて、各ブランチ毎に送信すべきサブキャリアが選択される。
【００５３】
具体的には、上述した大小比較部１１４により出力された「選択信号」が「１」である場合、すなわち、ブランチ１またはブランチ２に対して選択された送信サブキャリアの数が第１しきい値を上回った場合には、各ブランチ間の受信レベルの差の絶対値が第２しきい値を下回り、かつ、第１しきい値を上回る数だけ送信サブキャリアが選択されたブランチにおけるサブキャリアについて、極性が反転された「選択ブランチ指示信号」に基づいて、セレクタ１１６では、各ブランチ毎に送信すべきサブキャリアが選択される。
【００５４】
逆に、上述した大小比較部１１４により出力された「選択信号」が「０」である場合、すなわち、ブランチ１およびブランチ２に対して選択された送信サブキャリアの数がともに第１しきい値を下回った場合には、受信系におけるセレクタ１０５により各ブランチ毎に選択されたサブキャリアが、各ブランチ毎に送信すべきサブキャリアとして選択される。
【００５５】
ここで、セレクタ１１６によるサブキャリアの選択結果について、図２（ａ）および図２（ｂ）を参照して説明する。図２（ａ）は、本発明の実施の形態１にかかるＯＦＤＭ通信装置におけるセレクタ１１６によりブランチ１について選択されたサブキャリアの配置の一例を示す模式図であり、図２（ｂ）は、本発明の実施の形態１にかかるＯＦＤＭ通信装置におけるセレクタ１１６によりブランチ２について選択されたサブキャリアの配置の一例を示す模式図である。なお、図２（ａ）および図２（ｂ）における回線状態等の様々な環境は、先に示した図６（ａ）および図６（ｂ）におけるものと同一であるものとする。
【００５６】
また、図２（ｂ）において破線により描かれたサブキャリア２０１〜サブキャリア２０３は、上述した極性反転部１１１により極性が反転されたサブキャリアである。すなわち、サブキャリア２０１〜サブキャリア２０３というのは、ブランチ２におけるそれらのサブキャリアにより伝送された信号の受信レベルが、ブランチ１におけるものと比べて、第１しきい値を下回る値だけ小さいものである。
【００５７】
図２（ａ）および図２（ｂ）から明らかなように、特定ブランチ（ここではブランチ１）に対する送信サブキャリアの偏りは、従来方式（図６（ａ）および図６（ｂ））に比べて改善されている。
【００５８】
再度図１を参照するに、セレクタ１１６によりブランチ１におけるＩＦＦＴ部１１７に対しては、変調部１１５からの変調処理後の送信信号のうち、ブランチ１について選択されたサブキャリアに配置される信号のみが出力される。また、セレクタ１１６によりブランチ２におけるＩＦＦＴ部１１８に対しては、変調部１１５からの変調処理後の送信信号のうち、ブランチ２について選択されたサブキャリアに配置される信号のみが出力される。
【００５９】
ＩＦＦＴ部１１７およびＩＦＦＴ部１１８では、セレクタ１１６から送られた変調後の送信信号に対してＩＦＦＴ処理がなされる。ＩＦＦＴ部１１７およびＩＦＦＴ部１１８によりＩＦＦＴ処理がなされた信号は、それぞれ、アンテナ１０１およびアンテナ１０２を介して、移動局装置に送信される。
【００６０】
なお、本実施の形態においては、受信系および送信系におけるブランチ数を２とした場合について説明したが、本発明は、これに限定されず、ブランチ数を３つ以上に変更した場合についても適用可能なものである。この場合には、特定のブランチに集中したサブキャリアのうち上記特定のブランチ以外のブランチから送信すべきサブキャリアとしては、受信レベルについての上記特定のブランチとの差（の絶対値）が、所定のしきい値未満となるブランチが存在するサブキャリアを選択すればよい。
【００６１】
上記のように選択されたサブキャリアを、上記存在するブランチにおけるいずれかのブランチから送信することにより、上記特定のブランチに集中していたサブキャリアを、その他のブランチに分散させることができるので、各ブランチにおけるピーク電力を低減することができる。
【００６２】
このように、本実施の形態によれば、送信すべきサブキャリアが、用意された全ブランチのうち特定のブランチに対して集中的に選択された場合には、前記特定のブランチに対して選択されたサブキャリアのうち、受信レベルについての前記特定のブランチとの差がしきい値を下回るブランチが存在するサブキャリアについては、前記存在するブランチのいずれかから送信される。
【００６３】
これにより、送信すべきサブキャリアが集中的に選択されたブランチにおけるピーク電力を低減させることができる。さらに、ブランチを変更されたサブキャリアについての変更前のブランチ（上記特定のブランチ）と変更後のブランチ（上記存在するブランチ）との受信レベルの差は、しきい値を下回るので、このサブキャリアにより伝送された信号を受信する通信相手においては、復調信号における誤り率特性はほとんど劣化しない。
【００６４】
また、前記特定のブランチに対して選択されたサブキャリアのうち、受信レベルについての前記特定のブランチとの差がしきい値を下回るブランチが存在するサブキャリアについて、前記存在するブランチのうち前記差が最小であるブランチを選択することにより、通信相手の復調信号における誤り率特性の劣化をさらに低減させることができる。
【００６５】
以上のように、本発明にかかるＯＦＤＭ通信装置によれば、各ブランチについて受信レベルが全ブランチの中で最大となる搬送波の総数を検出し、前記総数に基づいて、各搬送波を送信するためのブランチを選択するので、前記全ブランチのうち前記総数がしきい値を上回る特定のブランチが存在する場合、すなわち、特定のブランチに送信サブキャリアが集中的に選択される場合には、通信相手の受信信号における復調信号に与える影響を抑えるような範囲において、前記特定のブランチに対して選択されるべきいずれかのサブキャリアを、前記特定のブランチ以外のブランチから送信するので、各ブランチにおけるピーク電力を低減することができる。
【００６６】
さらに、上記の場合において、前記特定のブランチに対して選択されるべきいずれかのサブキャリアを送信するためのブランチを、前記総数に基づいて決定するので、通信相手の受信信号における復調信号に与える影響を抑えるような範囲において、前記特定のブランチにおける送信サブキャリアの集中度だけでなく、全ブランチにおける送信サブキャリアの集中度をも緩和することができる。
【００６７】
【発明の効果】
以上説明したように、本発明によれば、各ブランチについて受信レベルが全ブランチの中で最大となる搬送波の総数を検出し、前記総数に基づいて各搬送波を送信するためのブランチを決定するようにしたので、通信相手の復調信号における誤り率特性を劣化させることなく、各ブランチにおけるピーク電力を低減するＯＦＤＭ通信装置を提供することができる。
【図面の簡単な説明】
【図１】本発明の実施の形態１にかかるＯＦＤＭ通信装置の構成を示すブロック図
【図２】（ａ）  本発明の実施の形態１にかかるＯＦＤＭ通信装置におけるブランチ１について選択されたサブキャリアの配置の一例を示す模式図
（ｂ）  本発明の実施の形態１にかかるＯＦＤＭ通信装置におけるブランチ２について選択されたサブキャリアの配置の一例を示す模式図
【図３】従来のＯＦＤＭ通信装置の構成を示すブロック図
【図４】（ａ）従来のＯＦＤＭ通信装置におけるブランチ１について選択されたサブキャリアの配置の一例を示す模式図
（ｂ）従来のＯＦＤＭ通信装置におけるブランチ２について選択されたサブキャリアの配置の一例を示す模式図
【図５】従来のＯＦＤＭ通信装置の通信相手による受信信号におけるサブキャリアの配置の一例を示す模式図
【図６】（ａ）従来のＯＦＤＭ通信装置におけるブランチ１について選択されたサブキャリアの配置の一例を示す模式図
（ｂ）従来のＯＦＤＭ通信装置におけるブランチ２について選択されたサブキャリアの配置の一例を示す模式図
【符号の説明】
１０１，１０２  アンテナ部
１０３，１０４  ＦＦＴ部
１０７，１０８  レベル検出部
１０９，１１０，１１４  大小比較部
１１１  極性反転部
１１２，１１６  セレクタ
【図１】
0003640845.tif 000002
【図２】
0003640845.tif 000003
【図３】
0003640845.tif 000004
【図４】
0003640845.tif 000005
【図５】
0003640845.tif 000006
【図６】
0003640845.tif 000007